【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
データを、各ファスナーが、該ファスナーに生じる応力を測定するセンサを含む、複数のファスナーから収集する装置であって：
前記ファスナー群の各ファスナーに取り付けられて前記測定応力に関するデータを無線送信するように適合させたデバイスと、
前記デバイスから送信される前記データを無線で読み取るリーダと、
を備える、装置。
【請求項２】
前記デバイスは：
前記ファスナーに取り付けることができるキャップと、
前記キャップ内のアンテナと、
前記キャップ内に位置し、かつアンテナに接続されて前記データを前記リーダに送信する無線送信機と、
を含む、請求項１に記載の装置。
【請求項３】
前記リーダは、信号を前記デバイス群の各デバイスに無線送信する送信機を含み、そして
前記デバイス群の各デバイスは更に、前記キャップ内に位置して、前記信号を前記リーダから受信する無線受信機と、前記信号をエネルギーに変換し、前記エネルギーを蓄積する手段と、を含む、
請求項１又は２に記載の装置。
【請求項４】
前記デバイス群の各デバイスは：
周囲エネルギーを電気エネルギーに変換する手段と、
前記電気エネルギーを蓄積し、そして前記蓄積エネルギーを、前記センサを作動させるために使用されるパルスに変換する手段と、
を含む、請求項１ないし３のいずれか一項に記載の装置。
【請求項５】
前記キャップは、一連の電気接点を含み、これらの電気接点を、前記デバイスを前記ファスナーに取り付けるときに、前記センサ及び前記ファスナーに接触させる、請求項２ないし４のいずれか一項に記載の装置。
【請求項６】
前記受信機は：
光信号受信機、
無線周波数信号受信機、及び
超音波信号受信機、
のうちの１つである、請求項３に記載の装置。
【請求項７】
前記デバイスは更に、前記キャップに取り付けられて前記ファスナーの温度を検出する温度センサを含む、請求項２ないし６のいずれか一項に記載の装置。
【請求項８】
データを複数のファスナーから収集する方法であって：
キャップを前記ファスナー群の各ファスナーに取り付けるステップと、
問い合わせ信号をリーダから前記ファスナー群のうちの１つのファスナーに無線送信するステップと、
前記問い合わせ信号を前記キャップ内の受信機において無線受信するステップと、
前記ファスナーに取り付けられるセンサを使用して、前記ファスナーに生じる応力を測定するステップと、
前記キャップ内の無線送信機を使用して、前記測定応力を前記リーダに無線送信するステップと、
を含む、方法。
【請求項９】
前記キャップを取り付ける前記ステップは、前記キャップ内の一連の電気接点を前記センサ及び前記ファスナーに当接させるステップを含む、請求項８に記載の方法。
【請求項１０】
前記キャップを取り付ける前記ステップは、前記キャップを前記ファスナーの頭部に被せてねじ込むことにより行なわれる、請求項８又は９に記載の方法。
【請求項１１】
更に：
前記受信問い合わせ信号を電気エネルギーに変換するステップと、
前記エネルギーを前記キャップに蓄積するステップと、
前記蓄積エネルギーを使用して前記センサを作動させるステップと、
を含む、請求項８ないし１０のいずれか一項に記載の方法。
【請求項１２】
更に：
周囲エネルギーを電気エネルギーに変換するステップと、
前記エネルギーを前記キャップに蓄積するステップと、
前記蓄積エネルギーを使用して、前記センサの作動時に前記センサに給電するステップと、
を含む、請求項８ないし１１のいずれか一項に記載の方法。
【請求項１３】
更に：
前記リーダの照準を問い合わせ対象のファスナーに合わせるステップを含み、照準を合わせる前記ステップでは、光ビームを前記リーダから前記ファスナーに誘導して、前記リーダの照準合わせを容易にする、請求項８ないし１２のいずれか一項に記載の方法。
【請求項１４】
前記問い合わせ信号を無線送信する前記ステップは：
電気エネルギー伝達、
光エネルギー伝達、
超音波エネルギー伝達、
のうちの１つを使用して行なわれる、請求項８ないし１３のいずれか一項に記載の方法。
【請求項１５】
前記キャップを前記ファスナーに取り付ける前記ステップは：
フランジを前記ファスナーに固く固定するステップと、
前記フランジを使用して前記キャップを前記ファスナーに保持するステップと、
を含む、請求項８ないし１４のいずれか一項に記載の方法。
【手続補正２】
【補正対象書類名】明細書
【補正対象項目名】００５３
【補正方法】変更
【補正の内容】
【００５３】
本開示の実施形態について、特定の例示的な実施形態に関連して説明してきたが、他の変形をこの技術分野の当業者であれば想到することができることから、特定の実施形態は例示のためにのみ提示され、本発明を限定するために提示されているのではないことを理解されたい。
また、本発明は以下に記載する態様を含む。
（態様１）
データを、各ファスナーが、該ファスナーに生じる応力を測定するセンサを含む構成の複数のファスナーから収集する装置であって：
前記ファスナー群の各ファスナーに取り付けられて前記測定応力に関するデータを無線送信するように適合させたデバイスと、
前記デバイスから送信される前記データを無線で読み取るリーダと、
を備える、装置。
（態様２）
前記デバイスは：
前記ファスナーに取り付けることができるキャップと、
前記キャップ内のアンテナと、
前記キャップ内に位置し、かつアンテナに接続されて前記データを前記リーダに送信する無線送信機と、
を含む、態様１に記載の装置。
（態様３）
前記リーダは、信号を前記デバイス群の各デバイスに無線送信する送信機を含み、そして
前記デバイス群の各デバイスは更に、前記キャップ内に位置して、前記信号を前記リーダから受信する無線受信機と、そして前記信号をエネルギーに変換し、そして前記エネルギーを蓄積する手段と、を含む、
態様２に記載の装置。
（態様４）
前記デバイス群の各デバイスは：
周囲エネルギーを電気エネルギーに変換する手段と、
前記電気エネルギーを蓄積し、そして前記蓄積エネルギーを、前記センサを作動させるために使用されるパルスに変換する手段と、
を含む、態様１に記載の装置。
（態様５）
前記キャップは、一連の電気接点を含み、これらの電気接点を、前記デバイスを前記ファスナーに取り付けるときに、前記センサ及び前記ファスナーに接触させる、態様２に記載の装置。
（態様６）
前記受信機は：
光信号受信機、
無線周波数信号受信機、及び
超音波信号受信機、
のうちの１つである、態様３に記載の装置。
（態様７）
前記デバイスは更に、前記キャップに取り付けられて前記ファスナーの温度を検出する温度センサを含む、態様２に記載の装置。
（態様８）
データを複数のファスナーから収集する方法であって：
キャップを前記ファスナー群の各ファスナーに取り付けるステップと、
問い合わせ信号をリーダから前記ファスナー群のうちの１つのファスナーに無線送信するステップと、
前記問い合わせ信号を前記キャップ内の受信機において無線受信するステップと、
前記ファスナーに取り付けられるセンサを使用して、前記ファスナーに生じる応力を測定するステップと、
前記キャップ内の無線送信機を使用して、前記測定応力を前記リーダに無線送信するステップと、
を含む、方法。
（態様９）
前記キャップを取り付ける前記ステップは、前記キャップ内の一連の電気接点を前記センサ及び前記ファスナーに当接させるステップを含む、態様８に記載の方法。
（態様１０）
前記キャップを取り付ける前記ステップは、前記キャップを前記ファスナーの頭部に被せてねじ込むことにより行なわれる、態様８に記載の方法。
（態様１１）
更に：
前記受信問い合わせ信号を電気エネルギーに変換するステップと、
前記エネルギーを前記キャップに蓄積するステップと、
前記蓄積エネルギーを使用して前記センサを作動させるステップと、
を含む、態様８に記載の方法。
（態様１２）
更に：
周囲エネルギーを電気エネルギーに変換するステップと、
前記エネルギーを前記キャップに蓄積するステップと、
前記蓄積エネルギーを使用して、前記センサの作動時に前記センサに給電するステップと、
を含む、態様８に記載の方法。
（態様１３）
更に：
前記リーダの照準を質問対象のファスナーに合わせるステップを含み、照準を合わせる前記ステップでは、光ビームを前記リーダから前記ファスナーに誘導して、前記リーダの照準合わせを容易にする、態様８に記載の方法。
（態様１４）
前記問い合わせ信号を無線送信する前記ステップは：
電気エネルギー伝達、
光エネルギー伝達、
超音波エネルギー伝達、
のうちの１つを使用して行なわれる、態様８に記載の方法。
（態様１５）
前記キャップを前記ファスナーに取り付ける前記ステップは：
フランジを前記ファスナーに固く固定するステップと、
前記フランジを使用して前記キャップを前記ファスナーに保持するステップと、
を含む、態様８に記載の方法。
（態様１６）
データを、各ファスナーが、該ファスナーに生じる応力を測定するセンサを含む構成の複数のファスナーから収集する装置であって：
第１信号を比較的狭い経路に沿って前記ファスナーに無線送信するリーダと、
前記ファスナーに取り付けられて前記第１信号を受信する手段と、
前記ファスナーに取り付けられて、前記センサが測定する前記応力に関するデータを含む第２信号を前記リーダに無線送信する手段と、
を備える、装置。
（態様１７）
前記リーダは、前記第１信号を成形して比較的細いビームにする送信アンテナを含む、態様１６に記載の装置。
（態様１８）
前記アンテナは指向性ダイポールアンテナである、態様１７に記載の装置。
（態様１９）
前記アンテナはディッシュアンテナである、態様１７に記載の装置。
（態様２０）
前記リーダは無線周波数送信機を含み、前記第１信号は無線周波数信号であり、そして
前記ファスナーに取り付けられる前記受信手段は無線周波数受信機である、
態様１６に記載の装置。
（態様２１）
前記リーダは赤外線ビーム送信器を含み、
前記第１信号は赤外線ビームであり、そして
前記ファスナーに取り付けられる前記受信手段は赤外線受信機である、
態様１６に記載の装置。
（態様２２）
前記赤外線ビーム送信器は：
赤外光を生成する赤外線ダイオードと、
赤外光を集中させて前記赤外線ビームとする手段と、
を含む、態様２１に記載の装置。
（態様２３）
前記リーダは、超音波エネルギー送出器を含み、
前記第１信号は超音波信号であり、そして
前記ファスナーに取り付けられる前記受信手段は超音波信号受信機である、
態様１６に記載の装置。
（態様２４）
前記ファスナーに取り付けられる前記受信手段は、前記第１信号を前記狭い経路に沿って受信する指向性アンテナを含む、態様１６に記載の装置。
（態様２５）
更に：
前記受信手段、及び前記第２信号を送信する手段を収容するために前記ファスナーに取り付けることができるキャップを備える、態様１６に記載の装置。
（態様２６）
データを複数のファスナーから収集する方法であって：
第１信号をリーダから比較的狭い経路に沿って前記ファスナーに無線送信するステップと、
前記第１信号を前記ファスナーにおいて受信するステップと、
少なくとも１つのパラメータを前記ファスナーにおいて検出するステップと、
前記パラメータに関連する第２信号を前記ファスナーから前記リーダに無線送信するステップと、
を含む、方法。
（態様２７）
前記第１信号を前記リーダから無線送信する前記ステップは、指向性アンテナを使用して行なわれる、態様２６に記載の方法。
（態様２８）
前記第１信号を前記リーダから無線送信する前記ステップは、エネルギービームを使用して行なわれる、態様２６に記載の方法。
（態様２９）
エネルギービームは：
無線周波数エネルギー、
光エネルギー、及び
超音波エネルギー
のうちの１つである、態様２８に記載の方法。
（態様３０）
前記第２信号を無線送信する前記ステップは、指向性アンテナを使用して行なわれる、態様２６に記載の方法。
（態様３１）
データを、各ファスナーが、該ファスナーに生じる応力を測定するセンサを含む構成の複数のファスナーから収集する装置であって：
前記ファスナー群の各ファスナーに取り付けられて、前記ファスナーの温度を検出し、そして前記測定応力及び前記検出温度に関するデータを無線送信するように適合させたデバイスと、
前記デバイスから送信される前記データを読み取るリーダと、
を備える、装置。
（態様３２）
前記デバイスは：
前記ファスナーに取り付けることができるキャップと、
前記キャップ内の温度センサと、
前記キャップ内に位置して前記データを前記リーダに送信する無線送信機と、
を含む、態様３１に記載の装置。
（態様３３）
前記リーダは、問い合わせ信号を前記デバイス群の各デバイスに無線送信する送信機を含み、そして
前記デバイス群の各デバイスは更に、前記キャップ内に位置して、前記問い合わせ信号を受信する無線受信機と、そして前記問い合わせ信号をエネルギーに変換し、そして前記エネルギーを蓄積する手段と、を含む、
態様３２に記載の装置。
（態様３４）
前記デバイス群の各デバイスは更に、前記キャップ内に位置して、周囲エネルギーを電気エネルギーに変換し、そして前記データを前記リーダに送信するために使用される前記エネルギーを蓄積する手段を含む、態様３２に記載の装置。
（態様３５）
前記デバイス群の各デバイスは、前記キャップ内に位置して、前記蓄積エネルギーを、前記センサを作動させるために使用されるパルスに変換する手段を含む、態様３３に記載の装置。
（態様３６）
前記キャップは、一連の電気接点を含み、これらの電気接点を、前記デバイスを前記ファスナーに取り付けるときに、前記センサ及び前記ファスナーに接触させる、態様３２に記載の装置。
（態様３７）
前記温度センサは、前記ファスナーに、前記接点群のうちの少なくとも１つの接点を介して接続される、態様３６に記載の装置。
（態様３８）
前記温度センサは前記ファスナーに当接する、態様３２に記載の装置。
（態様３９）
ファスナーに生じる応力に関するデータを収集する方法であって：
前記ファスナーに関連し、かつ前記ファスナーに生じる前記応力に関連する少なくとも１つの温度変化パラメータを検出するステップと、
前記ファスナーの温度を検出するステップと、
前記パラメータを、前記検出温度に基づいて調整するステップと、
を含む、方法。
（態様４０）
前記温度を検出する前記ステップは、前記ファスナーの領域内のセンサを使用して行なわれる、態様３９に記載の方法。
（態様４１）
更に：
前記検出パラメータ及び前記検出温度を前記ファスナーからリーダに無線送信するステップを含む、態様３９に記載の方法。
（態様４２）
前記検出パラメータを調整する前記ステップは、前記リーダにおいて行なわれる、態様３９に記載の方法。
（態様４３）
前記検出パラメータを調整する前記ステップは、前記ファスナーにおいて行なわれる、態様３９に記載の方法。
（態様４４）
更に：
キャップを前記ファスナーに取り付けるステップと、
前記検出パラメータ及び前記検出温度を前記キャップからリーダに無線送信するステップと、
を含む、態様３９に記載の方法。
（態様４５）
更に：
前記検出パラメータ及び前記検出温度を含むデータパケットを前記キャップ内で生成するステップと、
前記データパケットを前記キャップからリーダに無線送信するステップと、
前記データパケットを前記リーダにおいて受信するステップと、
前記パラメータを前記リーダにおいて、前記検出温度を使用して調整するステップと、
を含む、態様４４に記載の方法。
（態様４６）
データを、構造に取り付けられる複数のファスナーから収集する装置であって、前記ファスナー群の各ファスナーは、前記ファスナーに生じる応力を測定するセンサを含み、前記装置は：
前記ファスナー群の各ファスナーに取り付けられ、かつ前記センサに接続されて、前記測定応力を表わす超音波信号を、前記構造を通って無線送信するデバイスと、
前記超音波信号を読み取るリーダと、
を備える、装置。
（態様４７）
前記デバイスは：
前記ファスナーに取り付けることができるキャップと、
前記キャップ内に位置して、前記超音波信号を、前記構造を通って送信するトランスデューサと、
を含む、態様４６に記載の装置。
（態様４８）
前記デバイスは超音波カプラを含み、該超音波カプラは、前記構造に当接して、前記超音波信号を前記トランスデューサから前記構造に入力するように適合させる、態様４７に記載の装置。
（態様４９）
前記リーダは：
前記超音波信号を電気エネルギーに変換する超音波トランスデューサと、
前記トランスデューサを前記構造に超音波結合する超音波カプラと、
を含む、態様４６に記載の装置。
（態様５０）
前記超音波トランスデューサは、前記超音波信号を前記リーダから比較的狭い経路に沿って、前記ファスナー群のうちの１つのファスナーに向かって誘導する一方向性トランスデューサである、態様４９に記載の装置。
（態様５１）
前記リーダは、超音波信号を送信して前記デバイス群に問い合わせる超音波トランスデューサを含み、
前記デバイス群の各デバイスは、前記超音波信号を前記リーダから受信し、そして前記受信信号を電気エネルギーに変換する超音波トランスデューサを含む、
態様４６に記載の装置。
（態様５２）
前記デバイス群の各デバイスは、前記電気エネルギーを蓄積し、そして前記センサに前記蓄積エネルギーを使用して給電する手段を含む、
態様５１に記載の装置。
（態様５３）
前記リーダは、前記ファスナーに送信される前記超音波信号の周波数を選択する手段を含む、態様５１に記載の装置。
（態様５４）
データを、構造に取り付けられるファスナーから収集する方法であって：
少なくとも１つのパラメータを前記ファスナーにおいて検出するステップと、
前記検出パラメータを含む超音波信号を前記ファスナーから前記構造を通って送信するステップと、
前記超音波信号を読み取るステップと、
を含む、方法。
（態様５５）
前記信号を送信する前記ステップは、前記信号を、比較的狭い経路に沿って前記構造を通るように誘導することにより行なわれる、態様５４に記載の方法。
（態様５６）
更に：
前記超音波信号に対応する周波数を、前記構造の特徴に基づいて選択するステップを含む、態様５４に記載の方法。
（態様５７）
前記読み取る前記ステップは：
リーダを前記構造に超音波結合し、
前記リーダを使用して、前記超音波信号を前記ファスナーから受信し、そして
前記受信超音波信号を、前記検出パラメータの値を表わす電気信号に変換することにより行なわれる、
態様５４に記載の方法。
（態様５８）
前記超音波信号を読み取る前記ステップはリーダによって行なわれ、そして前記方法は更に：
前記ファスナーに、問い合わせ超音波信号を、前記リーダから前記構造を通って前記ファスナーに送信することにより問い合わせるステップと、
前記問い合わせ信号を前記ファスナーにおいて受信するステップと、を含み、
前記検出する前記ステップは、前記問い合わせ信号を前記ファスナーにおいて受信すると行なわれる、態様５４に記載の方法。
（態様５９）
更に：
前記受信問い合わせ信号を電気エネルギーに、前記ファスナーにおいて変換するステップと、
前記電気エネルギーを前記ファスナーにおいて蓄積するステップと、
を含む、態様５８に記載の方法。
（態様６０）
前記超音波信号を前記ファスナーから送信する前記ステップは、前記ファスナーにおいて蓄積される前記電気エネルギーを使用して行なわれる、態様５９に記載の方法。